(57)【要約】      （修正有）【課題】加熱用空間４内において、載置台１０上に載置された被加熱物をバーナ８により加熱調理するように構成された加熱調理装置Ｇであって、加熱用空間４を規定する壁部における付着物を低減し、清掃性等を向上した加熱調理装置を提供する。【解決手段】加熱用空間４を規定する壁部の少なくとも一部である振動壁２１を付着物の除去のために振動させる振動手段２１，２２，２３を備えた。【選択図】図３
2005230162.tif 000002
【特許請求の範囲】
【請求項１】
加熱用空間内において、載置台上に載置された被加熱物を加熱手段により加熱調理するように構成された加熱調理装置であって、
前記加熱用空間を規定する壁部の少なくとも一部である振動壁を付着物の除去のために振動させる振動手段を備えた加熱調理装置。
【請求項２】
前記振動壁が、本体ケーシングの内壁部に沿って前記本体ケーシングとは別体に設けられた板状部材で構成されている請求項１に記載の加熱調理装置。
【請求項３】
前記加熱手段が前記載置台の上方に設置され、
前記振動壁が、前記載置台と前記加熱手段との間の前記加熱用空間の側方に配置されている請求項１又は２に記載の加熱調理装置。
【請求項４】
前記載置台の下方に前記載置台からの落下物を収容するトレーが設けられ、
前記振動壁を伝って落下する落下物を前記トレー内に導く誘導部が設けられている請求項１〜３の何れか１項に記載の加熱調理装置。
【発明の詳細な説明】
【技術分野】
【０００１】
本発明は、加熱用空間内において、載置台上に載置された被加熱物を加熱手段により加熱調理するように構成された加熱調理装置所謂グリルに関する。
【背景技術】
【０００２】
上記のようなグリルと呼ばれる加熱調理装置は、加熱用空間に設置された焼き網等の載置台上に魚などの被加熱物を載置し、その被加熱物を載置台の例えば上方に設置された加熱手段としてのバーナにより焼き調理等の加熱調理するように構成されており、更に、このような加熱調理装置は、鍋やフライパンを加熱するためのコンロに内蔵されている場合がある。
また、上記のような加熱調理装置として、載置台に超音波振動を付与することで載置台におけるこびり付きを低減する加熱調理装置が提案されている（例えば、特許文献１（特開平１１−２３０５５６号公報）を参照。）。
【０００３】
【特許文献１】特開平１１−２３０５５６号公報
【発明の開示】
【発明が解決しようとする課題】
【０００４】
従来の加熱調理装置において、加熱用空間を規定する壁部には、被加熱物の油分やその他の汚れなどが付着しやすいため、比較的狭い加熱用空間内においてその壁部に付着した頑固な付着物を除去するというような煩雑な清掃作業が必要となる。更に、このような加熱用空間を規定する壁部の付着物は、上記特許文献１の加熱調理装置で課題とされている載置台のこびり付きとは異なり、被加熱物の加熱調理後の見栄えには余り影響を与えるものではないので、その付着物を除去するための対策についてはあまり講じられていなかった。
【０００５】
本発明は、上記の課題に鑑みてなされたものであり、その目的は、加熱用空間内において、載置台上に載置された被加熱物を加熱手段により加熱調理するように構成された加熱調理装置であって、加熱用空間を規定する壁部における付着物を低減し、清掃性等を向上した加熱調理装置を提供する点にある。
【課題を解決するための手段】
【０００６】
上記目的を達成するための本発明に係る加熱調理装置は、加熱用空間内において、載置台上に載置された被加熱物を加熱手段により加熱調理するように構成された加熱調理装置であって、その第１特徴構成は、前記加熱用空間を規定する壁部の少なくとも一部である振動壁を付着物の除去のために振動させる振動手段を備えた点にある。
【０００７】
上記第１特徴構成によれば、上記のような振動手段を設けることで、載置台上に被加熱物を載置して加熱調理している間若しくは加熱調理後などに、加熱用空間を規定する壁部の少なくとも一部である振動壁を振動させることによって、振動壁に付着した付着物を上記振動により流下させたり弾き飛ばすなどして除去することができる。
従って、本発明により、加熱用空間を規定する壁部における付着物を低減し、清掃性等を向上することができる加熱調理装置を提供することができる。
【０００８】
本発明に係る加熱調理装置の第２特徴構成は、前記振動壁が、本体ケーシングの内壁部に沿って前記本体ケーシングとは別体に設けられた板状部材で構成されている点にある。
【０００９】
上記第２特徴構成によれば、上記のように振動手段により振動されて付着物を除去することができる振動壁を本体ケーシングの内壁部に沿って当該本体ケーシングとは別体に設けられた板状部材として構成することで、本体ケーシングを振動させることなく固定し、その本体ケーシングに対して上記振動壁のみを振動させることができ、振動手段の構造を単純化することができる。
また、振動壁を本体ケーシングとは別体に構成し、更に、振動壁を本体ケーシングに対して着脱自在に構成することで、振動壁を本体ケーシングから取り外して丸洗いすることができ、一層清掃性を向上することができる。
【００１０】
本発明に係る加熱調理装置の第３特徴構成は、前記加熱手段が前記載置台の上方に設置され、
前記振動壁が、前記載置台と前記加熱手段との間の前記加熱用空間の側方に配置されている点にある。
【００１１】
上記第３特徴構成によれば、加熱手段が載置台の上方に配置されている場合において、上記のように振動手段により振動されて付着物を除去することができる振動壁を、その上方の加熱手段により加熱された被加熱物の油分が飛散しやすい加熱用空間の側方に配置することで、的確且つ良好に加熱用空間を規定する壁部における付着物を低減して清掃性を向上することができる。
【００１２】
本発明に係る加熱調理装置の第４特徴構成は、前記載置台の下方に前記載置台からの落下物を収容するトレーが設けられ、
前記振動壁を伝って落下する落下物を前記トレー内に導く誘導部が設けられている点にある。
【００１３】
上記第４特徴構成によれば、上記のように載置台の下方にトレーを配置する場合において、例えば振動壁の下端部又は本体ケーシングの内壁部に、上記誘導部を設けることで、振動手段により振動壁を振動させて付着物が除去され、その付着物が上記落下物として振動壁を伝って落下する場合において、その落下物を上記誘導部により適切にトレー内に導くことができる。従って、振動壁からの落下物を比較的清掃しやすいトレー内に適切に収容させることができ、一層清掃性を向上することができる。
【発明を実施するための最良の形態】
【００１４】
以下、図面に基づいて、本発明の実施の形態を説明する。
図１に示すコンロは、二つのコンロ部Ｃを備え、本実施の形態における加熱調理装置としてのグリル部Ｇを内蔵して構成されている。
コンロの本体ケーシング１の前面には、各コンロ部Ｃの点火・消火操作用の二つのコンロ用器具栓２ｃ、各コンロ部Ｃのガス量を調節するための二つのコンロ用ガス量調節レバー３ｃ、グリル部Ｇの点火・消火操作用のグリル用器具栓２ｇ、グリル部Ｇのガス量を調節するためのグリル用ガス量調節レバー３ｇ、及び、グリル部Ｇの加熱用空間４を開閉するグリル扉５が設けられており、本体ケーシング１の上面の後方側には、グリル部Ｇからの排ガスを排出するための排気口６、及び、その排気口６を覆う状態でスリット状の開口部を列状に備えた排気口カバー７が設けられている。
【００１５】
グリル部Ｇは、図２に示すように、本体ケーシング１の内部に区画形成された加熱用空間４内において、網状の載置台１０上に載置された魚などの被加熱物を、加熱手段としてのグリル用バーナ８により加熱調理するように構成されている。
詳しくは、載置台１の上方に、加熱用空間４を加熱するグリル用バーナ８が配置され、そのグリル用バーナ８の下方に、載置台１０が上方に搭載され載置台１０からの落下物を収容するトレー１１が引き出し式に配置されている。
更に、加熱用空間４内の排ガスを排気口６から装置外に導くための排気路１２が、加熱用空間４の後部に連接されている。
【００１６】
また、排気路１２には、加熱用空間４において発生した火炎が排気路１２を通じて装置外へあふれる現象所謂炎あふれ現象を防止するために、多孔板や金網等からなる消炎用のフレームアレスタ１３が設けられている。
【００１７】
上記のように構成されたグリル部Ｇには、加熱用空間４を規定する壁部における付着物を低減し清掃性等を向上するために、加熱用空間４を規定する壁部の少なくとも一部である振動壁２１を付着物の除去のために振動させる振動手段として、振動壁２１と、その振動壁２１に取付られた圧電振動子２２と、その圧電振動子２２に交流電圧を印加して超音波振動させる振動回路２３とが設けられている。
即ち、振動回路２３は、振動壁２１に取付けられた圧電振動子２２に交流電圧を印加して超音波振動させることで、加熱用空間４を規定する壁部の少なくとも一部である振動壁２１を超音波振動させることで、振動壁２１に付着した付着物をその超音波振動により流下させたり弾き飛ばすなどして除去することができる。
【００１８】
また、振動回路２３は、グリル用器具栓２ｇが押し込み操作されてグリル用バーナ８が点火された時に、振動壁２１の振動を開始し、更に、グリル用バーナ８の燃焼が継続されている状態でグリル用器具栓２ｇが再度押し込み操作されてグリル用バーナ８が消火された時、又は、グリル用バーナ８が消火されてから一定時間経過した時に、振動壁２１の振動を停止する。
即ち、グリル用バーナ８により載置台１０上に載置された被加熱物を加熱調理している間に振動壁２１を振動させることで、加熱調理中に被加熱物から飛散し振動壁２１に付着した油分などの付着物を、比較的高温で低粘度である間に、振動壁２１を振動させて良好に除去することができる。
【００１９】
また、上記振動壁２１は、本体ケーシング１の内壁部に沿って本体ケーシング１とは別体に設けられた板状部材で構成されており、更に、被加熱物の油分が飛散しやすい加熱用空間４の側方に配置されている。
【００２０】
即ち、前面から見て、加熱用空間４の左右の夫々と奥との３箇所において、本体ケーシング１の内面に沿った板状部材として構成された振動壁２１ａ，２１ｂ，２１ｃが設けられており、更に、その振動壁２１ａ，２１ｂ，２１ｃの夫々が、本体ケーシング１の内面に固定された複数の圧電振動子２２ａ，２２ｂ，２２ｃにより、本体ケーシング１の内面との間に隙間を介する状態で、脱着自在に保持されている。
【００２１】
従って、振動回路２３により夫々の圧電振動子２２ａ，２２ｂ，２２ｃを振動させることで、本体ケーシング１を振動させることなく振動壁２１ａ，２１ｂ，２１ｃのみを振動させることができ、更に、この振動壁２１ａ，２１ｂ，２１ｃを圧電振動子２２ａ，２２ｂ，２２ｃから取り外して、丸洗いすることができる。
【００２２】
また、振動壁２１の下端部は、内側に折り曲げられており、その折り曲げ部２４が振動壁２１を伝って落下する落下物をトレー１１内に導くための誘導部として機能する。
【００２３】
〔別実施形態〕
（１）上記実施の形態では、グリル用バーナ８を載置台１０の上方に配置したが、別に、グリル用バーナ８をそれ以外の別の箇所に配置しても構わない。また、グリル用バーナ８を載置台１０の上方に配置しない場合には、載置台１０の上方の壁部にも、振動回路２３により振動され付着物を除去するための振動壁２１を設けても構わない。
【００２４】
（２）上記実施の形態では、振動壁２１を本体ケーシング１とは別体に設けたが、別に、本体ケーシング１の一部又は全部を振動壁とし振動させても構わない。また、振動壁２１の形状は、その振動壁２１が加熱用空間を規定する壁部の一部である範囲内で適宜変更しても構わない。
【００２５】
（３）上記実施の形態では、圧電振動子２２により振動壁２１を超音波振動させたが、振動壁２１の振動周波数については、振動壁２１に付着した付着物を除去可能な範囲内で適宜変更可能である。また、圧電振動子２２の代わりに、電磁式、カム式、リンク式等の振動アクチュエータ等を用いても構わない。
【００２６】
（４）上記実施の形態では、振動壁２１をグリル用バーナ８が点火されてから振動させるように構成したが、別に、振動壁２１を振動させる時期については適宜変更可能である。例えば、振動壁２１をグリル用バーナ８が消火されてから一定時間振動させるように構成することでも、振動壁２１に付着した油分などの付着物を比較的高温で低粘度である間に良好に除去することができ、更に、グリル用バーナ８により加熱調理している間には振動壁２１を振動させないので、振動による騒音を低減し、更に、振動によるエネルギ消費を低減することができる。
【００２７】
（５）上記実施の形態では、振動壁２１の下端部に折り曲げ部２４を形成し、その折り曲げ部２４を、振動壁２１を伝って落下する落下物をトレー１１内に導くための誘導部として機能させたが、別に、振動壁２１に折り曲げ部２４を形成することなく、例えば、本体ケーシング１の内面を落下物をトレー１１内に導くように形成して上記誘導部として機能させても構わない。また、誘導部の形状は、振動壁２１とトレー１１との相対位置を考慮して適宜改変することができる。
【００２８】
（６）上記実施の形態では、本発明に係る加熱調理装置を、コンロ部Ｃを備えたコンロに内蔵されたグリル部Ｇに適用したが、別に、グリル部Ｇのみを備えたものなどにも適用することもできる。
【００２９】
（７）上記実施の形態では、加熱手段としてグリル用バーナ８を設けたが、別に、シーズヒータ等の電気式の加熱手段を設けても構わない。また、振動手段を、加熱手段全体又は加熱手段の加熱用空間４に面する壁部を振動させて加熱手段への付着物の除去を行っても構わない。
【図面の簡単な説明】
【００３０】
【図１】調理用加熱装置の外観を示す斜視図
【図２】グリル部の側断面図
【図３】グリル部の立断面図
【符号の説明】
【００３１】
１：本体ケーシング
４：加熱用空間
８：グリル用バーナ（バーナ）
１０：載置台
１１：トレー
２１：振動壁（振動手段）
２２：圧電振動子（振動手段）
２３：振動回路（振動手段）
２４：折り曲げ部（誘導部）
Ｇ：グリル部（加熱調理装置）
【図１】
2005230162.tif 000003
【図２】
2005230162.tif 000004
【図３】
2005230162.tif 000005